(57)【特許請求の範囲】
【請求項１】
住宅建物の躯体の縦柱と、この縦柱の外側に立設される袖縦柱とを接合金具によって接合する躯体の接合方法であって、
接合金具は、断面略Ｌ字状に形成され、昇り立面が固定面、水平面が接合面となされた縦柱固定部材と、断面逆Ｌ字状に形成され、下り立面が固定面、水平面が接合面となされた袖縦柱固定部材と、これら縦柱固定部材および袖縦柱固定部材の接合面同士を接合する接合部材とからなり、
縦柱固定部材の固定面を縦柱に固定するとともに、袖縦柱固定部材の固定面を袖縦柱に固定した状態で、この縦柱固定部材の接合面と袖縦柱固定部材の接合面とを重ね合わせて接合部材で接合するようになされたことを特徴とする躯体の接合方法。
【請求項２】
住宅建物の躯体の縦柱の外側に、袖縦柱が設けられ、この袖縦柱と、前記縦柱とが接合金具によって接合されてなる躯体構造であって、
接合金具は、断面略Ｌ字状に形成され、昇り立面が固定面、水平面が接合面となされた縦柱固定部材と、断面逆Ｌ字状に形成され、下り立面が固定面、水平面が接合面となされた袖縦柱固定部材と、これら縦柱固定部材および袖縦柱固定部材の接合面同士を接合する接合部材とからなり、
縦柱固定部材の固定面が縦柱に固定されるとともに、袖縦柱固定部材の固定面が袖縦柱に固定された状態で、この縦柱固定部材の接合面と袖縦柱固定部材の接合面とが重ね合わされて接合部材で接合されてなることを特徴とする躯体構造。
【請求項３】
袖縦柱上に垂木が支持され、住宅建物の屋根の軒裏に袖縦柱が納まるようになされた請求項２記載の躯体構造。
【発明の詳細な説明】
【０００１】
【産業上の利用分野】
本発明は、木造住宅の躯体の接合方法と、それによって構成される躯体構造とに関するものである。
【０００２】
【従来の技術】
一般に、住宅建物の躯体の縦柱の外側に、出窓を形成するための袖縦柱を設け、この袖縦柱周りに、躯体と同様に外壁パネルや窓部材を固定して出窓を形成することが行われている。
【０００３】
従来より、木造住宅におけるこのような出窓部分の躯体構造においては、躯体の縦柱と袖縦柱との間を、単に横桟材で接合していた。
【０００４】
【発明が解決しようとする課題】
ところで、最近では、縦柱からの袖縦柱の出幅を小さくして、出窓全体を屋根の軒裏に納めたりすることが行われている。
【０００５】
このように、袖縦柱の出幅を小さくして屋根の軒裏に納める場合、袖縦柱上に屋根の垂木が固定されることとなる。しかし、この袖縦柱によって屋根の荷重を支持できる耐力構造の躯体構造を構成しようとすると、袖縦柱と縦柱との間に梁を設けて、それぞれを接合金物で接合しなければならず、施工が煩わしくなってしまう。
【０００６】
本発明は、係る実情に鑑みてなされたものであって、屋根の軒裏に納まるような出幅の小さい袖縦柱であっても簡単に耐力構造の躯体にすることができる接合金具を用いて躯体を接合する方法と、それによって構成される耐力性に優れた躯体構造とを提供することを目的としている。
【０００７】
【課題を解決するための手段】
上記課題を解決するための本発明の躯体の接合方法は、住宅建物の躯体の縦柱と、この縦柱の外側に立設される袖縦柱とを接合金具によって接合する躯体の接合方法であって、接合金具は、断面略Ｌ字状に形成され、昇り立面が固定面、水平面が接合面となされた縦柱固定部材と、断面逆Ｌ字状に形成され、下り立面が固定面、水平面が接合面となされた袖縦柱固定部材と、これら縦柱固定部材および袖縦柱固定部材の接合面同士を接合する接合部材とからなり、縦柱固定部材の固定面を縦柱に固定するとともに、袖縦柱固定部材の固定面を袖縦柱に固定した状態で、この縦柱固定部材の接合面と袖縦柱固定部材の接合面とを重ね合わせて接合部材で接合するようになされたものである。
【０００８】
また、上記課題を解決するための本発明の躯体構造は、住宅建物の躯体の縦柱の外側に、袖縦柱が設けられ、この袖縦柱と、前記縦柱とが接合金具によって接合されてなる躯体構造であって、接合金具は、断面略Ｌ字状に形成され、昇り立面が固定面、水平面が接合面となされた縦柱固定部材と、断面逆Ｌ字状に形成され、下り立面が固定面、水平面が接合面となされた袖縦柱固定部材と、これら縦柱固定部材および袖縦柱固定部材の接合面同士を接合する接合部材とからなり、縦柱固定部材の固定面が縦柱に固定されるとともに、袖縦柱固定部材の固定面が袖縦柱に固定された状態で、この縦柱固定部材の接合面と袖縦柱固定部材の接合面とが重ね合わされて接合部材で接合されてなるものである。
【０００９】
また、上記躯体構造において、袖縦柱上に垂木が支持され、住宅建物の屋根の軒裏に袖縦柱が納まるようになされたものである。
【００１０】
【発明の実施の形態】
以下、本発明の実施の形態を図面を参照して説明する。
【００１１】
図１は接合金具１の全体構成の概略を示し、図２および図３は同接合金具１による躯体構造を示し、図４は同躯体構造によって構成される住宅建物Ａの外観を示している。
【００１２】
すなわち、この接合金具は、縦柱固定部材２と、袖縦柱固定部材３と、これらを接合する接合ボルト４とから構成されている。
【００１３】
縦柱固定部材２は、断面略Ｌ字状に形成されており、その昇り立面２１には、この昇り立面２１を躯体５の縦柱５１にボルト６で固定するためのボルト孔２２が設けられている。このボルト孔２２は、昇り立面２１の長手方向に沿って複数個（本実施の形態では四個）設けられており、いずれかのボルト孔２２を利用することで、縦柱５１の所望の位置に縦柱固定部材２を固定できるようになされている。水平面２３には、接合ボルト４を挿通するボルト孔２４が設けられている。昇り立面２１と水平面２３とは、その両側に補強桟２５が溶接固定されている。
【００１４】
袖縦柱固定部材３は、断面逆Ｌ字状に形成されており、その下り立面３１には、この下り立面３１を袖縦柱７にボルト６で固定するためのボルト孔３２が設けられている。このボルト孔３２は、下り立面３１の長手方向に沿って複数個（本実施の形態では五個）設けられており、いずれかのボルト孔３２を利用することで、袖縦柱７の所望の位置に出窓柱固定部材３を固定できるようになされている。水平面３３には、接合ボルト４を挿通するボルト孔３４が設けられている。下り立面３１と水平面３３とは、その両側に補強桟３５が溶接固定されている。
【００１５】
このようにして構成される連結金具１は、躯体５の縦柱５１に縦柱固定部材２をボルト６で固定し、袖縦柱７に出窓柱固定部材３をボルト６で固定しておく。
【００１６】
そして、縦柱５１に固定した縦柱固定部材２の水平面２３と、袖縦柱７に固定した袖縦柱固定部材３の水平面３３とを重ね合わせ、それぞれのボルト孔２４、３４に接合ボルト４を挿通して締結する。
【００１７】
これにより、縦柱５１と袖縦柱７とは、連結金具１によって強固に連結されることとなり、躯体５に固定される袖縦柱７を耐力構造にして、袖縦柱７上に、躯体５と同様に垂木８を支持させることができる。
【００１８】
したがって、この躯体構造は、縦柱５１からの袖縦柱７の出幅を小さくして、かつ、袖縦柱７を耐力構造にすることができるので、図４に示すように、二階屋根８０の軒裏に、袖縦柱７を納め、この袖縦柱７の周りに出窓７０を形成した住宅建物Ａに構成した場合であっても、強固な躯体構造を確保することができる。また、接合金具１は、縦柱５１に固定される縦柱固定部材２を断面略Ｌ字状に形成しているので、垂木８と緩衝することなく、袖縦柱７上に垂木８を支持させることができる。
【００１９】
しかも、この躯体構造は、縦柱５１に固定した縦柱固定部材２と袖縦柱７に固定した袖縦柱固定部材３とを重ね合わせて接合ボルト４で締結するといった簡単な施工によって構成することができる。この縦柱固定部材２および袖縦柱固定部材３は、それぞれ縦柱５１および袖縦柱７を現場に出荷する前に工場で固定しておけば、現場で単に接合ボルト４を締結するといっただけで良いので、施工作業をより簡略化することができる。
【００２０】
なお、本実施の形態では、躯体構造によって構成される住宅建物Ａの出窓７０が、二階部分だけに設けられて、この二階屋根８０の軒裏に納まるようになされているが、この出窓７０が、一階から通しで外壁全体が突出するようになされた躯体構造であっても良いし、一階部分だけに設けられて、この一階屋根の軒裏に納まるようになされた躯体構造であっても良い。また、この躯体構造は、縦柱５１からの袖縦柱７の出幅を小さくして、かつ、袖縦柱７を耐力構造にできるといった点から、住宅建物Ａの出窓７０を二階屋根８０の軒裏に納める場合に好適であるが、特にこのように出窓７０を二階屋根８０の軒裏に納める場合に限定されるものではなく、通常の出窓７０を構成する躯体構造に利用しても良い。
【００２１】
また、本実施の形態では、袖縦柱７の周りに出窓７０を形成しているが、縦柱５１からの袖縦柱７の出幅が小さくなされた躯体構造であれば、特に袖縦柱７の周りに出窓７０が形成された躯体構造に限定されるものではなく、この出窓７０の部分が外壁となされたものであっても良い。
【００２２】
【発明の効果】
以上述べたように、本発明によると、縦柱への縦柱固定部材の固定と、袖縦柱への袖縦柱固定部材の固定とを、現場へ出荷する前に工場で固定しておくことができるので、現場では、縦柱に固定しておいた縦柱固定部材と、袖縦柱に固定しておいた袖縦柱固定部材とのそれぞれの接合面を重ね合わせて接合部材で接合するといった簡単な構成によって袖縦柱を耐力構造にすることができる。
【００２３】
また、縦柱に固定した縦柱固定部材と袖縦柱に固定した出窓柱固定部材とを接合部材で直接接合するので、特に縦柱からの袖縦柱の出幅が小さいような場合に有効となる。
【図面の簡単な説明】
【図１】（ａ）ないし（ｃ）は、本発明に係る躯体の接合方法に用いる接合金具の全体構成の概略を示す平面図、側面図および（ａ）におけるI-I 線断面図である。
【図２】接合金具による本発明に係る躯体構造を示す側面図である。
【図３】接合金具による本発明に係る躯体構造を示す部分斜視図である。
【図４】本発明に係る躯体構造によって構成される住宅建物の全体構成の概略を示す斜視図である。
【符号の説明】
１  接合金具
２  縦柱固定部材
２１  昇り立面
２３  水平面
３  袖縦柱固定部材
３１  下り立面
３３  水平面
４  接合ボルト（接合部材）
５  躯体
５１  縦柱
７  袖縦柱
Ａ  住宅建物
【図１】
0003833407.tif 000002
【図２】
0003833407.tif 000003
【図３】
0003833407.tif 000004
【図４】
0003833407.tif 000005